(57)【要約】【課題】ガラス等の高価な材料を使用せずに、しかも収納物の変質や臭気の揮散を防止でき、更に、柔らかい収納物であっても外力により変形を受けることがなく製造も容易な容器を提案する。【解決手段】胴部５より口頸部７を起立したガスバリヤー性を有する容器本体２と、口頸部７に上端部を嵌着させ且つ下端部を容器本体胴部内に、胴部との間に隙間ｄをあけて、垂下した有底の収納筒３と、口頸部外周に周壁１５を嵌合させて着脱自在に装着した蓋体４とから構成した。そして、容器本体２のガスバリヤー性により外気を遮断し、隙間ｄの存在で外力による収納筒３の変形防止を図った。【選択図】図１
2004059098.tif 000002
【特許請求の範囲】
【請求項１】
胴部５より口頸部７を起立させるとともに、ガスバリヤー性を有する容器本体２と、上記口頸部７に上端部を嵌着させるとともに、下端部を容器本体胴部５内に、胴部５との間に隙間ｄをあけて、垂下した有底の保護筒３と、口頸部７外周に嵌合させた周壁１５上端縁より口頸部７上端を閉塞する頂壁１６を延設して着脱自在に装着した蓋体４とを備えてなることを特徴とする容器。
【請求項２】
下端を偏平状に閉塞した筒状胴部５より肩部６を介して口頸部７を起立させるとともに、口頸部７の外周上端部に上向き段部を介して小径部７ａを形成し、且つ、少なくとも一層の金属薄膜層９及び金属薄膜層を挟持する少なくとも二層の合成樹脂層１０とからなる積層構造によりガスバリヤー性を有する容器本体２と、上記口頸部７内周に周壁１１上端部を密嵌させるとともに、周壁１１上端縁より外方へ延設したフランジ１２の外周縁より上記小径部７ａ外周に抜け出しを防止して嵌合させた嵌合筒部１３を延設してなる保護筒３と、口頸部７外周に嵌合させた周壁１５上端縁より口頸部７上端を閉塞する頂壁１６を延設して着脱自在に装着した蓋体４とを備えてなることを特徴とする容器。
【発明の詳細な説明】
【０００１】
【発明の属する技術分野】
本発明は容器に関する。
【０００２】
【従来の技術】
丸薬等を収納する容器として、収納物が外気との接触により変質したり、或いは臭気が外部へ揮散するのを防止する目的で、或いは収納物が柔らかく、外力による変形を防止する目的で、一般にガラス製の容器本体を使用したものが知られている。
【０００３】
ガラス製の容器本体は上記目的を充分達成できるものではあるが、落下により破損し易く、また、破損による破片が危険を伴い、更に高価となる等の問題がある。
【０００４】
【発明が解決しようとする課題】
本発明は上記した点に鑑みてなされたもので、ガラス等の高価な材料を使用せずに、しかも収納物の変質や臭気の揮散を防止でき、更に、柔らかい収納物であっても外力により変形を受けることがなく、製造も容易で安価に製造できる容器を提案するものである。
【０００５】
【課題を解決するための手段】
本請求項１発明の容器は、上記課題を解決するため、胴部５より口頸部７を起立させるとともに、ガスバリヤー性を有する容器本体２と、上記口頸部７に上端部を嵌着させるとともに、下端部を容器本体胴部５内に、胴部５との間に隙間ｄをあけて、垂下した有底の保護筒３と、口頸部７外周に嵌合させた周壁１５上端縁より口頸部７上端を閉塞する頂壁１６を延設して着脱自在に装着した蓋体４とを備えてなることを特徴とする容器として構成した。
【０００６】
また、請求項２発明の容器は、下端を偏平状に閉塞した筒状胴部５より肩部６を介して口頸部７を起立させるとともに、口頸部７の外周上端部に上向き段部を介して小径部７ａを形成し、且つ、少なくとも一層の金属薄膜層９及び金属薄膜層を挟持する少なくとも二層の合成樹脂層１０とからなる積層構造によりガスバリヤー性を有する容器本体２と、上記口頸部７内周に周壁１１上端部を密嵌させるとともに、周壁１１上端縁より外方へ延設したフランジ１２の外周縁より上記小径部７ａ外周に抜け出しを防止して嵌合させた嵌合筒部１３を延設してなる保護筒３と、口頸部７外周に嵌合させた周壁１５上端縁より口頸部７上端を閉塞する頂壁１６を延設して着脱自在に装着した蓋体４とを備えてなることを特徴とする容器として構成した。
【０００７】
【発明の実施の形態】
以下、本発明の実施の形態を図面を参照して説明する。
【０００８】
図面にある如く、本発明の容器１は、容器本体２と、保護筒３と、蓋体４とを備えている。容器本体２は、下端部を偏平状に閉塞した筒状胴部５の上端縁より肩部６を介して口頸部７を起立している。また、口頸部７外周上端部には保護筒３の後述する嵌合筒部を嵌合させるための小径部７ａを上向き段部を介して周設しており、その下方の口頸部７外周には蓋体４を係合するための係合手段としての螺条８を周設している。
【０００９】
容器本体２はガスバリヤー性を備えており、内外の通気を遮断する如く構成している。容器本体２にガスバリヤー性を付与する構造としては、例えば、ガスバリヤー性に優れた合成樹脂の単層或いは積層構造により、また、合成樹脂と金属薄膜層との積層構造によりガスバリヤー性を付与することができる。前者のうち積層構造の場合には少なくとも一層をガスバリヤー性に優れた合成樹脂層で構成する。
【００１０】
また、後者の場合には金属薄膜層の両側に挟持する状態で合成樹脂層を積層したものであり、合成樹脂層はガスバリヤー性がなくとも良い。また、金属薄膜層は必ずしも一層でなく複数層形成してもよいが、その場合も合成樹脂層は、各金属薄膜層を挟持する形で積層する。
【００１１】
ガスバリヤー性に優れた合成樹脂の例として、ポリ塩化ビニリデン共重合体，エチレンビニルアルコール共重合体，ポリエチレンテレフタレート，ポリアミド，ポリアクリロニトリル等が挙げられるが、これに限られず、一般的にガスバリヤー性に優れた合成樹脂であれば使用できる。
【００１２】
また、金属薄膜層を構成する金属としては、一般的に容器材料として使用できるものが使用でき、例えばアルミニューム，鉄，銅，その他合金等が挙げられる。金属薄膜層の厚みは適宜選択して使用でき、特に限定はないが、一般的な金属蒸着等で形成できる、薄い膜厚のものが好ましく採用される。また、この場合の合成樹脂層を形成する樹脂としては、上記ガスバリヤー性に優れた樹脂を使用しても良いが、ポリプロピレン，ポリエチレン等の一般に容器製造に使用されるガスバリヤー性にそれ程優れていない合成樹脂を使用することも当然できる。合成樹脂層もその材質，金属薄膜層の厚み等を考慮して適宜選択する。
【００１３】
本実施例では図２に示す如く、金属薄膜層９としてのアルミニューム薄膜層を挟んで両側に合成樹脂層１０としてのポリエチレン樹脂層を積層した積層構造によりガスバリヤー性を付与している。
【００１４】
保護筒３は、合成樹脂により形成したもので、上記口頸部７内周に上端部を嵌着させるとともに、下端部を容器体胴部５内に、胴部５との間に隙間ｄをあけた状態で垂下させている。図示例では、口頸部７内周に上端部を密に嵌合させた周壁１１の上端縁より外方へフランジ１２を延設するとともに、フランジ１２外周縁より上記小径部７ａ外周に嵌合させた嵌合筒部１３を垂設している。嵌合筒部１３の内周縁より係合突条を突設し、小径部７ａ外周に突周設させた係止突条に乗越え係合させ、上方への抜け出しを防止する如く構成している。尚、図中１４は底壁を示す。
【００１５】
上記隙間ｄの存在で、比較的容易に変形する容器本体２の胴部５であっても、隙間ｄに密閉された空気が緩衝材として保護筒３への外力の影響を極力なくし、保護筒３内の収納物への外力の影響を極力なくしている。
【００１６】
蓋体４は、上記容器本体２の口頸部７外周に嵌合させた周壁１５上端縁より頂壁１６を延設した有頂筒状をなし、周壁１５内周に上記螺条８と螺合させた螺条１７を周設している。また、頂壁１６裏面周縁部より垂設したシール筒１８を保護筒３の周壁１１内周上端部に密嵌させている。
【００１７】
【発明の効果】
以上説明した如く本発明の容器は、ガラス等の高価な材料を使用せずに、しかも収納物の変質や臭気の揮散を防止できる。また、柔らかい収納物であっても外力により変形を受けることがなく、製造も容易で安価に製造できるものである。
【００１８】
また、従来のチューブ容器の如く、その偏平に閉塞された内部下端部に内容物が詰まって変形したり取り出し難くなるような不都合を生じることはない。
【００１９】
また、請求項２発明の容器では、保護筒の上端部をフランジ及び嵌合筒部により確実に容器体口頸部に嵌着しているため保護筒のガタツキ等の発生を良好に防止でき、また、容器体胴部との間の隙間への嵌合筒部上端部分からの侵入もより確実に防止できる。また、容器本体がチューブ状であり、一般に寝かした状態での保管を行うため、胴部にそれ程厚みを必要とせず、成形樹脂量を少なくでき、より安価に製造できる利点も兼ね備えている。
【図面の簡単な説明】
【図１】本発明の一実施例を示す半断面図である。
【図２】同実施例の要部拡大断面図である。
【図３】同実施例の斜視図である。
【符号の説明】
２…容器本体，３…保護筒，４…蓋体，５…胴部，６…肩部，７…口頸部，
７ａ…小径部，９…金属薄膜層，１０…合成樹脂層，１１…保護筒周壁，
１２…フランジ，１３…嵌合筒部，１５…蓋体周壁，１６…蓋体頂壁，ｄ…隙間，
【図１】
2004059098.tif 000003
【図２】
2004059098.tif 000004
【図３】
2004059098.tif 000005